(57)【特許請求の範囲】
【請求項１】
開口部が形成されたケース体と、
相互に連動して回転する供給リールおよび巻取リール、ならびに前記供給リールから繰り出されて前記巻取リールに巻き取られる転写テープが掛け回される転写ヘッドを備え、前記ケース体内に収納される収納位置と、前記転写ヘッドが前記開口部から突出した使用位置とに移動可能とされた転写ユニットと、
前記開口部を開閉するカバー部を一方端に備えて前記ケース体に回動可能に取り付けられ、前記開口部を前記カバー部で開閉しながら回動する動きに連動して前記転写ユニットが前記収納位置と前記使用位置とになるとともに、前記転写ユニットを前記収納位置から前記使用位置へと移動させる回動操作部と、
前記転写ユニットを前記収納位置に付勢して保持する第１の保持手段と、
前記転写ユニットを前記第１の保持手段の付勢力に抗して前記使用位置に保持する第２の保持手段と、
を有することを特徴とする塗膜転写具。
【請求項２】
開口部が形成されたケース体と、
相互に連動して回転する供給リールおよび巻取リール、ならびに前記供給リールから繰り出されて前記巻取リールに巻き取られる転写テープが掛け回される転写ヘッドを備え、前記ケース体内に収納される収納位置と、前記転写ヘッドが前記開口部から突出した使用位置とに移動可能とされた転写ユニットと、
前記開口部を開閉するカバー部を一方端に備えて前記ケース体に回動可能に取り付けられ、前記開口部を前記カバー部で開閉しながら回動する動きに連動して前記転写ユニットが前記収納位置と前記使用位置とになるとともに、前記転写ユニットを前記収納位置から前記使用位置へと移動させる回動操作部と、
前記転写ユニットを前記収納位置に保持する第１の保持手段と、
前記転写ユニットを前記使用位置に保持する第２の保持手段と、
を有し、
前記第１の保持手段は、前記転写ユニットを前記収納位置に付勢して保持する付勢部材であり、
前記第２の保持手段は、前記ケース体に形成された保持孔、および前記転写ユニットに設けられて前記転写ユニットが前記使用位置になったときに前記保持孔に嵌まり込む保持突起であり、
前記第２の保持手段は、前記第１の保持手段の付勢力に抗して前記転写ユニットを前記使用位置で保持し、
前記第１の保持手段は、前記転写ユニットに対する前記第２の保持手段による保持力が解除されたときに当該転写ユニットを自動的に前記収納位置に移動させる、
ことを特徴とする塗膜転写具。
【請求項３】
開口部が形成されたケース体と、
相互に連動して回転する供給リールおよび巻取リール、ならびに前記供給リールから繰り出されて前記巻取リールに巻き取られる転写テープが掛け回される転写ヘッドを備え、前記ケース体内に収納される収納位置と、前記転写ヘッドが前記開口部から突出した使用位置とに移動可能とされた転写ユニットと、
前記開口部を開閉するカバー部を一方端に備えて前記ケース体に回動可能に取り付けられ、前記開口部を前記カバー部で開閉しながら回動する動きに連動して前記転写ユニットが前記収納位置と前記使用位置とになるとともに、前記転写ユニットを前記収納位置から前記使用位置へと移動させる回動操作部と、
前記転写ユニットを前記収納位置に保持する第１の保持手段と、
前記転写ユニットを前記使用位置に保持する第２の保持手段と、
を有し、
前記第１の保持手段は、前記転写ユニットを前記収納位置に付勢して保持する付勢部材であり、
前記第２の保持手段は、前記ケース体または前記転写ユニットに形成されたハートカム溝、および前記ハートカム溝が形成されていない前記ケース体または前記転写ユニットに設けられるとともに前記ハートカム溝に係合して走行し、前記転写ユニットが前記使用位置になったときに前記ハートカム溝に形成された保持部に保持されるカムピンであり、
前記第２の保持手段は、前記第１の保持手段の付勢力に抗して前記転写ユニットを前記使用位置で保持し、
前記第１の保持手段は、前記転写ユニットに対する前記第２の保持手段による保持力が解除されたときに当該転写ユニットを自動的に前記収納位置に移動させる、
ことを特徴とする塗膜転写具。
【請求項４】
前記付勢部材は、コイルバネまたはトーションバネである、
ことを特徴とする請求項２または３記載の塗膜転写具。
【請求項５】
前記回動操作部には、回動支点から離間した位置に凸部が形成され、
前記転写ユニットには、前記凸部が嵌まり込み、前記回動操作部の回動に伴って当該凸部が走行して前記回動操作部と前記転写ユニットとが連動するカム溝が形成されている、
ことを特徴とする請求項１〜４の何れか一項に記載の塗膜転写具。
【請求項６】
前記転写ユニットには、前記回動操作部の回動支点から離間した位置に凸部が形成され、
前記回動操作部には、前記凸部が嵌まり込み、前記回動操作部の回動に伴って当該凸部が走行して前記回動操作部と前記転写ユニットとが連動するカム溝が形成されている、
ことを特徴とする請求項１〜４の何れか一項に記載の塗膜転写具。
【請求項７】
開口部が形成されたケース体と、
相互に連動して回転する供給リールおよび巻取リール、ならびに前記供給リールから繰り出されて前記巻取リールに巻き取られる転写テープが掛け回される転写ヘッドを備え、前記ケース体内に収納される収納位置と、前記転写ヘッドが前記開口部から突出した使用位置とに移動可能とされた転写ユニットと、
前記開口部を開閉するカバー部を一方端に備えて前記ケース体に回動可能に取り付けられ、前記開口部を前記カバー部で開閉しながら回動する動きに連動して前記転写ユニットが前記収納位置と前記使用位置とになるとともに、前記転写ユニットを前記収納位置から前記使用位置へと移動させる回動操作部と、
前記転写ユニットを前記収納位置に保持する第１の保持手段と、
前記転写ユニットを前記使用位置に保持する第２の保持手段と、
を有し、
前記転写ユニットには、前記回動操作部の回動支点から離間した位置に凸部が形成され、
前記回動操作部には、前記凸部が嵌まり込み、前記回動操作部の回動に伴って当該凸部が走行して前記回動操作部と前記転写ユニットとが連動するカム溝が形成されている、
ことを特徴とする塗膜転写具。
【請求項８】
開口部が形成されたケース体と、
相互に連動して回転する供給リールおよび巻取リール、ならびに前記供給リールから繰り出されて前記巻取リールに巻き取られる転写テープが掛け回される転写ヘッドを備え、前記ケース体内に収納される収納位置と、前記転写ヘッドが前記開口部から突出した使用位置とに移動可能とされた転写ユニットと、
前記開口部を開閉するカバー部を一方端に備えて前記ケース体に回動可能に取り付けられ、前記開口部を前記カバー部で開閉しながら回動する動きに連動して前記転写ユニットが前記収納位置と前記使用位置とになるとともに、前記転写ユニットを前記収納位置から前記使用位置へと移動させる回動操作部と、
前記転写ユニットを前記収納位置に保持する第１の保持手段と、
前記転写ユニットを前記使用位置に保持する第２の保持手段と、
を有し、
前記回動操作部は１８０度回動して前記転写ユニットを前記収納位置と前記使用位置とにするとともに、当該回動操作部の回動支点をはさんで前記カバー部と反対側に凸部が形成され、
前記転写ユニットには、当該転写ユニットの移動方向と交差する方向に延びて前記凸部が前記回動操作部の回動に伴って走行するカム溝、および前記カム溝に形成されて当該カム溝を走行する前記凸部を前記収納位置および前記使用位置で保持する保持部を備え、
前記第１の保持手段は、前記保持部および当該保持部に保持された前記収納位置での前記凸部であり、
前記第２の保持手段は、前記保持部および当該保持部に保持された前記使用位置での前記凸部である、
ことを特徴とする塗膜転写具。
【発明の詳細な説明】
【技術分野】
【０００１】
本発明は、転写テープに塗布された塗膜を被転写体に転写する塗膜転写具に関するものである。
【背景技術】
【０００２】
例えば紙面に書かれた文字などに修正用の塗膜を転写するためのツールとして、あるいは、例えば紙面に糊状の塗膜を転写するためのツールとして、塗膜転写具が知られている。
【０００３】
この塗膜転写具は、相互に連動して回転する供給リールと巻取リールとがケース内に収められており、２つの端部が供給リールと巻取リールとにそれぞれ固定された転写テープが転写ヘッドに掛け回された構造となっている。
【０００４】
そして、ケースを把持して転写ヘッドを用紙などの被転写体に押し付けながら当該被転写体に沿って移動させることにより、供給リールから繰り出された転写テープに塗布された塗膜が被転写体に転写され、塗膜のなくなった転写後の転写テープが巻取リールに巻き取られるようになっている。
【０００５】
ここで、塗膜転写具には、供給リール、巻取リールおよび転写ヘッドをユニット化して転写ユニットを構成し、この転写ユニットを移動可能にしてケースの先端に形成された開口部から転写ヘッドを出没可能にしたものがある。
【０００６】
このように転写ユニットに設けられた転写ヘッドがケースの開口部から出没可能となった塗膜転写具としては、例えば特許文献１（特開２０１１−１２１２０２号公報）に記載されたものがある。この公報には、ノック棒の操作によりカバー部による開口部の開閉と転写ヘッドの出没とを連動して行うようにした技術が開示されている。
【先行技術文献】
【特許文献】
【０００７】
【特許文献１】特開２０１１−１２１２０２号公報
【発明の概要】
【発明が解決しようとする課題】
【０００８】
ここで、特許文献１に記載のように、ノック棒で転写ヘッドを出没させる構造の場合、ケース内にある転写ヘッドを、使用に適した程度の長さだけ開口部から突出させるにはノック棒のストロークを十分に確保する必要がある。すると、ノック棒を含めた塗膜転写具の全長が長くなって、コンパクト化を図ることができなくなる。
【０００９】
本発明は、上述の技術的背景からなされたものであって、塗膜転写具のコンパクト化を図ることのできる技術を提供することを目的とする。
【課題を解決するための手段】
【００１０】
上記課題を解決するため、請求項１に記載の本発明の塗膜転写具は、開口部が形成されたケース体と、相互に連動して回転する供給リールおよび巻取リール、ならびに前記供給リールから繰り出されて前記巻取リールに巻き取られる転写テープが掛け回される転写ヘッドを備え、前記ケース体内に収納される収納位置と、前記転写ヘッドが前記開口部から突出した使用位置とに移動可能とされた転写ユニットと、前記開口部を開閉するカバー部を一方端に備えて前記ケース体に回動可能に取り付けられ、前記開口部を前記カバー部で開閉しながら回動する動きに連動して前記転写ユニットが前記収納位置と前記使用位置とになるとともに、前記転写ユニットを前記収納位置から前記使用位置へと移動させる回動操作部と、前記転写ユニットを前記収納位置に付勢して保持する第１の保持手段と、前記転写ユニットを前記第１の保持手段の付勢力に抗して前記使用位置に保持する第２の保持手段と、を有することを特徴とする。
【００１１】
請求項２に記載の本発明の塗膜転写具は、開口部が形成されたケース体と、相互に連動して回転する供給リールおよび巻取リール、ならびに前記供給リールから繰り出されて前記巻取リールに巻き取られる転写テープが掛け回される転写ヘッドを備え、前記ケース体内に収納される収納位置と、前記転写ヘッドが前記開口部から突出した使用位置とに移動可能とされた転写ユニットと、前記開口部を開閉するカバー部を一方端に備えて前記ケース体に回動可能に取り付けられ、前記開口部を前記カバー部で開閉しながら回動する動きに連動して前記転写ユニットが前記収納位置と前記使用位置とになるとともに、前記転写ユニットを前記収納位置から前記使用位置へと移動させる回動操作部と、前記転写ユニットを前記収納位置に保持する第１の保持手段と、前記転写ユニットを前記使用位置に保持する第２の保持手段と、を有し、前記第１の保持手段は、前記転写ユニットを前記収納位置に付勢して保持する付勢部材であり、前記第２の保持手段は、前記ケース体に形成された保持孔、および前記転写ユニットに設けられて前記転写ユニットが前記使用位置になったときに前記保持孔に嵌まり込む保持突起であり、前記第２の保持手段は、前記第１の保持手段の付勢力に抗して前記転写ユニットを前記使用位置で保持し、前記第１の保持手段は、前記転写ユニットに対する前記第２の保持手段による保持力が解除されたときに当該転写ユニットを自動的に前記収納位置に移動させる、ことを特徴とする。
【００１２】
請求項３に記載の本発明の塗膜転写具は、開口部が形成されたケース体と、相互に連動して回転する供給リールおよび巻取リール、ならびに前記供給リールから繰り出されて前記巻取リールに巻き取られる転写テープが掛け回される転写ヘッドを備え、前記ケース体内に収納される収納位置と、前記転写ヘッドが前記開口部から突出した使用位置とに移動可能とされた転写ユニットと、前記開口部を開閉するカバー部を一方端に備えて前記ケース体に回動可能に取り付けられ、前記開口部を前記カバー部で開閉しながら回動する動きに連動して前記転写ユニットが前記収納位置と前記使用位置とになるとともに、前記転写ユニットを前記収納位置から前記使用位置へと移動させる回動操作部と、前記転写ユニットを前記収納位置に保持する第１の保持手段と、前記転写ユニットを前記使用位置に保持する第２の保持手段と、を有し、前記第１の保持手段は、前記転写ユニットを前記収納位置に付勢して保持する付勢部材であり、前記第２の保持手段は、前記ケース体または前記転写ユニットに形成されたハートカム溝、および前記ハートカム溝が形成されていない前記ケース体または前記転写ユニットに設けられるとともに前記ハートカム溝に係合して走行し、前記転写ユニットが前記使用位置になったときに前記ハートカム溝に形成された保持部に保持されるカムピンであり、前記第２の保持手段は、前記第１の保持手段の付勢力に抗して前記転写ユニットを前記使用位置で保持し、前記第１の保持手段は、前記転写ユニットに対する前記第２の保持手段による保持力が解除されたときに当該転写ユニットを自動的に前記収納位置に移動させる、ことを特徴とする。
【００１３】
請求項４に記載の発明は、上記請求項２または３記載の発明において、前記付勢部材は、コイルバネまたはトーションバネである、ことを特徴とする。
【００１４】
請求項５に記載の発明は、上記請求項１〜４の何れか一項に記載の発明において、前記回動操作部には、回動支点から離間した位置に凸部が形成され、前記転写ユニットには、前記凸部が嵌まり込み、前記回動操作部の回動に伴って当該凸部が走行して前記回動操作部と前記転写ユニットとが連動するカム溝が形成されている、ことを特徴とする。
【００１５】
請求項６に記載の発明は、上記請求項１〜４の何れか一項に記載の発明において、前記転写ユニットには、前記回動操作部の回動支点から離間した位置に凸部が形成され、前記回動操作部には、前記凸部が嵌まり込み、前記回動操作部の回動に伴って当該凸部が走行して前記回動操作部と前記転写ユニットとが連動するカム溝が形成されている、ことを特徴とする。
【００１６】
請求項７に記載の本発明の塗膜転写具は、開口部が形成されたケース体と、相互に連動して回転する供給リールおよび巻取リール、ならびに前記供給リールから繰り出されて前記巻取リールに巻き取られる転写テープが掛け回される転写ヘッドを備え、前記ケース体内に収納される収納位置と、前記転写ヘッドが前記開口部から突出した使用位置とに移動可能とされた転写ユニットと、前記開口部を開閉するカバー部を一方端に備えて前記ケース体に回動可能に取り付けられ、前記開口部を前記カバー部で開閉しながら回動する動きに連動して前記転写ユニットが前記収納位置と前記使用位置とになるとともに、前記転写ユニットを前記収納位置から前記使用位置へと移動させる回動操作部と、前記転写ユニットを前記収納位置に保持する第１の保持手段と、前記転写ユニットを前記使用位置に保持する第２の保持手段と、を有し、前記転写ユニットには、前記回動操作部の回動支点から離間した位置に凸部が形成され、前記回動操作部には、前記凸部が嵌まり込み、前記回動操作部の回動に伴って当該凸部が走行して前記回動操作部と前記転写ユニットとが連動するカム溝が形成されている、ことを特徴とする。
請求項８に記載の本発明の塗膜転写具は、開口部が形成されたケース体と、相互に連動して回転する供給リールおよび巻取リール、ならびに前記供給リールから繰り出されて前記巻取リールに巻き取られる転写テープが掛け回される転写ヘッドを備え、前記ケース体内に収納される収納位置と、前記転写ヘッドが前記開口部から突出した使用位置とに移動可能とされた転写ユニットと、前記開口部を開閉するカバー部を一方端に備えて前記ケース体に回動可能に取り付けられ、前記開口部を前記カバー部で開閉しながら回動する動きに連動して前記転写ユニットが前記収納位置と前記使用位置とになるとともに、前記転写ユニットを前記収納位置から前記使用位置へと移動させる回動操作部と、前記転写ユニットを前記収納位置に保持する第１の保持手段と、前記転写ユニットを前記使用位置に保持する第２の保持手段と、を有し、前記回動操作部は１８０度回動して前記転写ユニットを前記収納位置と前記使用位置とにするとともに、当該回動操作部の回動支点をはさんで前記カバー部と反対側に凸部が形成され、前記転写ユニットには、当該転写ユニットの移動方向と交差する方向に延びて前記凸部が前記回動操作部の回動に伴って走行するカム溝、および前記カム溝に形成されて当該カム溝を走行する前記凸部を前記収納位置および前記使用位置で保持する保持部を備え、前記第１の保持手段は、前記保持部および当該保持部に保持された前記収納位置での前記凸部であり、前記第２の保持手段は、前記保持部および当該保持部に保持された前記使用位置での前記凸部である、ことを特徴とする。
【発明の効果】
【００１７】
本発明によれば、回動操作部の回動により転写ユニットを使用位置で保持して転写ヘッドを開口部から突出させるようにしているので、ノック棒で転写ヘッドを出没させるようにした場合のように塗膜転写具の全長が長くなることはない。
【００１８】
これにより、使用に適した程度の長さだけ転写ヘッドをケース体の開口部から突出させつつ、塗膜転写具のコンパクト化を図ることが可能になる。
【図面の簡単な説明】
【００１９】
【図１】本発明の第１の実施の形態における塗膜転写具の外観を示す斜視図である。
【図２】図１の塗膜転写具の分解斜視図である。
【図３】図１の塗膜転写具の転写ユニットを構成する供給リール、巻取リールおよび転写ヘッドを示す側面図である。
【図４】図１の塗膜転写具において転写ユニットが収納位置にある状態を示す説明図である。
【図５】図１の塗膜転写具の転写ユニットが収納位置のときにおける第２の保持手段を示す説明図である。
【図６】図１の塗膜転写具において転写ユニットが収納位置から使用位置へ向かって移動している途中の状態を示す説明図である。
【図７】図１の塗膜転写具において転写ユニットが使用位置にある状態を示す説明図である。
【図８】図１の塗膜転写具の転写ユニットが使用位置のときにおける第２の保持手段を示す説明図である。
【図９】本発明の第２の実施の形態における塗膜転写具の外観を示す斜視図である。
【図１０】図９の塗膜転写具の分解斜視図である。
【図１１】図９の塗膜転写具において転写ユニットが収納位置にある状態を示す説明図である。
【図１２】図９の塗膜転写具の転写ユニットが収納位置のときにおける図１１の符号Ｓの部位を拡大して示す説明図である。
【図１３】図９の塗膜転写具において転写ユニットが収納位置から使用位置へ向かって移動している途中の状態を示す説明図である。
【図１４】図９の塗膜転写具において転写ユニットが使用位置にある状態を示す説明図である。
【図１５】図９の塗膜転写具の転写ユニットが使用位置のときにおける図１４の符号Ｓの部位を拡大して示す説明図である。
【図１６】本発明の第３の実施の形態における塗膜転写具の外観を示す斜視図である。
【図１７】図１６の塗膜転写具の分解斜視図である。
【図１８】図１６の塗膜転写具において転写ユニットが収納位置にある状態を示す説明図である。
【図１９】図１６の塗膜転写具において転写ユニットが収納位置から使用位置へ向かって移動している途中の状態を示す説明図である。
【図２０】図１６の塗膜転写具において転写ユニットが使用位置にある状態を示す説明図である。
【発明を実施するための形態】
【００２０】
以下、本発明の一例としての実施の形態について、図面に基づいて詳細に説明する。なお、実施の形態を説明するための図面において、同一の構成要素には原則として同一の符号を付し、その繰り返しの説明は省略する。
【００２１】
（第１の実施の形態）
【００２２】
図１は本発明の第１の実施の形態における塗膜転写具の外観を示す斜視図、図２は図１の塗膜転写具の分解斜視図、図３は図１の塗膜転写具の転写ユニットを構成する供給リール、巻取リールおよび転写ヘッドを示す側面図である。
【００２３】
図示する塗膜転写具は、修正用の塗膜や糊状の塗膜などが塗布された転写テープＴを紙面に転写するために用いられるものであり、長さ方向に沿って縦に２分割され、相互に嵌まり合って一体化し、内部空間を有するケース体１を形成する第１のケース部１ａおよび第２のケース部１ｂを有している。
【００２４】
ケース体１の先端には開口部２が形成されており、この開口部２から後述する転写ヘッド３が出没する。
【００２５】
なお、第１の実施の形態の塗膜転写具のケース体１は不透明なプラスチック製であり、内部の部材が透けて見えない。但し、ケース体１は透明であってもよく、また、ケース体１の材質はプラスチックに限定されるものではない。
【００２６】
図２に示すように、ケース体１内には転写ユニット４が収容されている。この転写ユニット４は、図２および図３に示すように、相互に連動して回転する供給リール５および巻取リール６、供給リール５から繰り出されて巻取リール６に巻き取られる転写テープＴが掛け回される前述の転写ヘッド３を備えている。さらに、供給リール５と巻取リール６とを両側から挟むように設けられた２枚のサイドプレート７ａ，７ｂを備えている。一方のサイドプレート７ａには、先端に突起部（図示せず）が形成されて巻取リール６を回転自在に支持するシャフト７ａ−１がサイドプレート７ｂに向けて形成され、他方のサイドプレート７ｂには、先端に突起部（図示せず）が形成されて供給リール５を回転自在に支持する図示しないシャフトがサイドプレート７ａに向けて形成されている。また、サイドプレート７ａ，７ｂには、相手方のサイドプレート７ｂ，７ａの突起部が嵌まり込む図示しない穴部が形成されている。
【００２７】
さらに、２枚のサイドプレート７ａ，７ｂの先端には、穴部７−１が形成されている。転写ヘッド３の両側には、回転自在となって転写テープＴが掛け回された円柱状のヘッド本体部３ａを挟むようにして支持する略三角形の支持片３ｂが位置しており、当該支持片３ｂに形成された突起部３ｂ−１が、前述した穴部７−１に嵌め込まれている。
【００２８】
したがって、サイドプレート７ａ，７ｂのシャフトに供給リール５および巻取リール６をそれぞれ支持した状態で当該シャフトに形成された突起部が相手方のサイドプレート７ｂ，７ａに形成された穴部に嵌め込まれるとともに、転写ヘッド３に形成された突起部３ｂ−１がサイドプレート７ａ，７ｂに形成された穴部７−１に嵌め込まれることにより、転写ヘッド３、供給リール５および巻取リール６がユニット化されて転写ユニット４が構成される。
【００２９】
供給リール５の一方側には大径のギア８が取り付けられており、巻取リール６には小径のギア９がギア８と同じ側に設けられている。また、これらのギア８，９にそれぞれ噛み合うとともに相互に噛み合った中継ギア１０ａ，１０ｂがサイドプレート７ａに回転自在に取り付けられている。これにより、供給リール５と巻取リール６とは連動して相互に逆方向に回転する。
【００３０】
なお、供給リール５にはラチェット爪１１が設けられており、ラチェット爪１１がサイドプレート７ｂに形成されたラチェット溝（図示せず）に嵌まり込むことにより一方向のみの回転が許容され、逆方向への回転はできないようになっている。
【００３１】
転写テープＴは、一方端が供給リール５に巻き付けられ、他方端が巻取リール６に巻き付けられており、修正用や糊状の剥離可能な塗膜面が外側になるようにして供給リール５から繰り出され、巻取リール６に巻き取られるようになっている。したがって、前述した供給リール５と巻取リール６とにおける一方向のみの回転方向とは、転写テープＴが繰り出される方向であり、また転写テープＴが巻き取られる方向である。
【００３２】
なお、図３に示すように、第１の実施の形態では、転写テープＴは供給リール５の下側から繰り出されて転写ヘッド３に掛け回され、供給リール５に巻き付けられた転写テープＴの上部に当接して下方へ導かれ、巻取リール６の下側から巻き取られる走行経路となっている。但し、転写テープＴの走行経路はこれに限定されるものではなく、供給リール５と巻取リール６との位置関係や回転方向を含めて、異なった走行経路であってもよい。
【００３３】
また、供給リール５と巻取リール６とはギア結合により連動して回転するようになっているが、両者の機械的な結合形態はギアに限定されるものではなく、ベルトなどであってもよい。
【００３４】
なお、転写テープＴは、例えば、ポリエチレンテレフタレート、ポリプロピレン、ポリエチレン等のプラスチックフィルムまたは紙からなる厚さ３〜６０μｍの長尺状体の片面もしくは両面にシリコーン樹脂等の離型層を形成して基材とし、この基材の片面に、公知の方法で粘着剤等を塗布することにより作製される。粘着剤としては、アクリル樹脂系、ビニル樹脂系、ロジン系、ゴム系等の粘着剤、あるいはこれらの粘着剤に架橋剤、粘着付与剤、可塑剤、老化防止剤、充填剤、増粘剤、ｐＨ調整剤、消泡剤等の助剤を適宜配合したものが用いられる。具体的には、基材の片面に粘着層を設けたものが粘着テープ（テープ糊）、基材の片面に隠蔽力のある顔料とバインダとしての高分子樹脂等からなる隠蔽層を設け、その上に粘着層を設けたものが修正テープ、基材の片面に蛍光着色層を設け、その上に粘着層を設けたものが蛍光テープである。基材の片面に形成される層の厚さは、例えば、乾燥後において約０．３〜６０μｍである。
【００３５】
なお、巻取リール６には、一対の円板状のテープガイド６ａが、軸方向の両側に対向配置されている。このテープガイド６ａは巻き取られる転写テープＴの幅方向の自由な動きを規制しており、当該テープガイド６ａによって、塗膜転写後の転写テープＴは逸脱することなく巻取リール６に巻き取られる。
【００３６】
さて、図２に示すように、第１のケース部１ａおよび第２のケース部１ｂの内側の上下合計４箇所には、ケース体１の前後方向に伸びる断面Ｌ字型をした直線状の案内溝１２が形成されている。ここで、第１のケース部１ａに形成された案内溝１２はサイドプレート７ａを前後方向に移動可能に上下から保持しており、第２のケース部１ｂに形成された案内溝１２はサイドプレート７ｂを前後方向に移動可能に上下から保持している。よって、転写ヘッド３、供給リール５および巻取リール６をサイドプレート７ａ，７ｂで挟むように構成された転写ユニット４が案内溝１２をスライドすることにより、ケース体１内に収納される位置である収納位置と、転写ヘッド３が前述したケース体１に形成された開口部２から突出した位置、換言すれば塗膜転写具Ａが使用可能になる位置である使用位置とに移動可能となっている。
【００３７】
なお、サイドプレート７ｂには、移動方向に沿って延びる長孔７ｂ−１が上下の２箇所に形成されており、第２のケース部１ｂの内側には、長孔７ｂ−１に嵌り込んで転写ユニット４の移動時における姿勢を規制して安定化させるための規制ピン１３が、長孔７ｂ−１内を相対移動可能に形成されている。
【００３８】
ケース体１には回動操作部１４が取り付けられている。この回動操作部１４は、回動孔１４ａ−１が第２のケース部１ｂの内側に形成された回動突起１５に嵌め込まれて回動するレバー部１４ａと、当該レバー部１４ａの一方端である先端に形成されてレバー部１４ａの回動動作に伴ってケース体１の開口部２を開閉するカバー部１４ｂとを備えている。さらに、回動操作部１４（のレバー部１４ａ）には、回動支点である回動孔１４ａ−１をはさんでカバー部１４ｂと反対側に凸部１４ａ−２が形成されている。
【００３９】
また、転写ユニット４（のサイドプレート７ｂ）には、この凸部１４ａ−２が嵌まり込むカム溝７ｂ−２が転写ユニット４の移動方向と交差する方向に形成されている。
【００４０】
これにより、回動操作部１４の回動に伴って凸部１４ａ−２がカム溝７ｂ−２内を走行することで回動操作部１４と転写ユニット４とが連動し、転写ユニット４が前述した収納位置（ケース体１内に収納される位置）と使用位置（転写ユニット４の転写ヘッド３がケース体１の開口部２から突出して塗膜転写具Ａが使用可能になる位置）とになる。
【００４１】
但し、凸部１４ａ−２は、回動支点である回動孔１４ａ−１をはさんでカバー部１４ｂと反対側に形成されている必要はなく、カバー部１４ｂと同じ側であってもよい。つまり、凸部１４ａ−２は回動支点から任意の所定距離だけ離間した位置に形成されていれば足り、回動支点のどちら側であってもよい。
【００４２】
なお、ケース体１の開口部２は、転写ユニット４が収納位置のときに回動操作部１４のカバー部１４ｂにより閉鎖され、使用位置のときにカバー部１４ｂによる閉鎖が解除される。
【００４３】
図２において、第１の保持手段としての付勢部材である引張コイルバネ１６（コイルバネ）が、一方端が第１のケース部１ａ内の後方に形成された引掛突起１７に引っ掛けられ、他方端が転写ユニット４のサイドプレート７ａに形成された突起（図示せず）に引っ掛けられて設けられている。よって、転写ユニット４は引張コイルバネ１６の付勢力（バネ力）により収納位置に付勢され、この収納位置で保持されている。
【００４４】
したがって、回動操作部１４を９０度回動させる操作を行うと、回動操作部１４のカバー部１４ｂが移動してケース体の開口部２が開放されるとともに、回動操作部１４の凸部１４ａ−２がカム溝７ｂ−２内を走行し、引張コイルバネ１６の付勢力で収納位置に保持されていた転写ユニット４が、引張コイルバネ１６の付勢力に抗して使用位置へ向かって移動する。なお、後述する第２の実施の形態における塗膜転写具Ａを含め、転写ユニット４を収納位置から使用位置へ移動させるための回動操作部１４の回動角は９０度である必要はなく、自由に設定することができる。
【００４５】
このようにして使用位置へ移動した転写ユニット４を当該使用位置に保持するために、第２の保持手段としての保持孔１８および保持突起１９が設けられている。ここで、保持孔１８はケース体１（の第２のケース部１ｂ）に形成されており、保持突起１９は転写ユニット４（のサイドプレート７ｂ）において内側に変位可能で、且つ転写ユニット４が使用位置になった位置で保持孔１８に嵌まり込むように形成されている。よって、転写ユニット４が使用位置になって保持突起１９が保持孔１８に嵌まり込むと、転写ユニット４が引張コイルバネ１６の付勢力に抗して使用位置で保持されることになる。
【００４６】
保持孔１８に隣接して転写ユニット４の移動方向に長くなった長孔２０が形成されており、転写ユニット４の移動時（収納位置から使用位置への移動、および使用位置から収納位置への移動）に長孔２０内を移動する保持解除突起２１が保持突起１９と一体に形成されている。そして、転写ユニット４が使用位置になって保持突起１９が保持孔１８に嵌まり込んでいるときに保持解除突起２１を押して保持突起１９を内側に変位させると、保持突起１９が保持孔１８から外れて転写ユニット４の使用位置での保持が解除され、転写ユニット４は引張コイルバネ１６の付勢力によって収納位置へと自動的に移動し、この収納位置で保持される。この転写ユニット４の収納位置への移動に伴って回動操作部１４の凸部１４ａ−２がカム溝７ｂ−２内を走行することにより、回動操作部１４はカバー部１４ｂが開口部２を閉鎖する位置へと自動的に回動する。
【００４７】
なお、保持解除突起２１を押しやすくするために、この保持解除突起２１は長孔２０から所定量だけ突出した長さとなっている。
【００４８】
ここで、以下に説明する第２の実施の形態における場合を含め、第１の保持手段としての付勢部材は引張コイルバネ１６に限定されるものではなく、転写ユニット４を収納位置に付勢することのできる様々な付勢部材を用いることができる。一例を挙げれば、圧縮コイルバネ（コイルバネ）やトーションバネの付勢力（バネ力）で転写ユニット４を収納位置に押し付けるようにしてもよい。
【００４９】
また、回動操作部１４に凸部１４ａ−２が形成され、転写ユニット４（のサイドプレート７ｂ）にカム溝７ｂ−２が形成されているが、同様に以下に説明する第２の実施の形態における場合を含め、この関係は逆であってもよい。つまり、転写ユニット４における回動操作部１４の回動支点をはさんでカバー部１４ｂと反対側に対応する位置に凸部が形成され、回動操作部１４に、転写ユニット４の凸部が嵌まり込んで、回動操作部１４の回動に伴って当該凸部が走行して回動操作部１４と転写ユニット４とが連動するカム溝が形成されている構成であってもよい。
【００５０】
なお、ここでも、凸部は回動支点から離間した位置に形成されていればよく、回動支点のどちら側であってもよい。
【００５１】
次に、このような構成を有する第１の実施の形態における塗膜転写具Ａにおける転写ユニット４の移動について、図４〜図８を用いて説明する。
【００５２】
ここで、図４は図１の塗膜転写具において転写ユニットが収納位置にある状態を示す説明図、図５は図１の塗膜転写具の転写ユニットが収納位置のときにおける第２の保持手段を示す説明図、図６は図１の塗膜転写具において転写ユニットが収納位置から使用位置へ向かって移動している途中の状態を示す説明図、図７は図１の塗膜転写具において転写ユニットが使用位置にある状態を示す説明図、図８は図１の塗膜転写具の転写ユニットが使用位置のときにおける第２の保持手段を示す説明図である。
【００５３】
図４に示すように、転写ユニット４がケース体１内に収納された収納位置にあるとき、前述のように転写ユニット４は第１の保持手段である付勢部材としての引張コイルバネ１６の付勢力によって収納位置に付勢され、この収納位置で保持されている。また、ケース体１の開口部２は、回動操作部１４のカバー部１４ｂによりが閉鎖されている。そして、転写ユニット４が収納位置にあるときには、図５に示すように、転写ユニット４に形成された保持突起１９は保持解除突起２１とともに長孔２０内に位置している。
【００５４】
このように転写ユニット４が収納位置にある状態において回動操作部１４を回動させると、図６に示すように、回動操作部１４のカバー部１４ｂが移動してケース体１の開口部２が開放されるとともに、回動操作部１４の凸部１４ａ−２がカム溝７ｂ−２内の走行を開始する。このような走行に伴い、引張コイルバネ１６の付勢力で収納位置に保持されていた転写ユニット４が案内溝１２に沿ってスライドを開始し、引張コイルバネ１６の付勢力に抗して使用位置へ向かって移動する。そして、転写ヘッド３が開口部２から徐々に突出していく。
【００５５】
回動操作部１４を９０度回すことにより転写ユニット４の使用位置への移動が完了すると、図７に示すように、塗膜転写具Ａの使用に適した程度の長さだけ転写ヘッド３が開口部２から突出する。このとき、長孔２０を走行した保持突起１９は、第２のケース部１ｂの長孔２０と保持孔１８とを区画している部位で押されて内側に変位し、その後、図８に示すように、使用位置になったところで変位から解放されて保持孔１８に嵌まり込む。そして、このような第２の保持手段としての保持孔１８および保持突起１９により、転写ユニット４が引張コイルバネ１６の付勢力に抗して使用位置で保持される。
【００５６】
なお、前述のように、保持解除突起２１を押すと保持突起１９が保持孔１８から外れ、これにより転写ユニット４は使用位置での保持が解除されて引張コイルバネ１６の付勢力によって収納位置へと自動的に移動する。
【００５７】
以上説明したように、第１の実施の形態における塗膜転写具Ａでは、回動操作部１４に凸部１４ａ−２が形成され、転写ユニット４に、回動操作部１４の回動に伴って凸部１４ａ−２が走行することで転写ユニット４が収納位置と使用位置とになるカム溝７ｂ−２が形成されている。そして、回動操作部１４を回動させて、収納位置に保持された転写ユニット４を引張コイルバネ１６の付勢力に抗して使用位置に移動させ、第２の保持手段としての転写ユニット４に形成された保持突起１９がケース体１に形成された保持孔１８に嵌まり込むことで転写ユニット４を当該使用位置で保持して転写ヘッド３を開口部２から突出させるようにしている。
【００５８】
したがって、ノック棒で転写ヘッドを出没させる構造を採用した場合のように、ノック棒のストロークを十分に確保するために塗膜転写具の全長が長くなることはない。
【００５９】
よって、使用に適した程度の長さだけ転写ヘッド３をケース体１の開口部２から突出させつつ、塗膜転写具Ａのコンパクト化を図ることが可能になる。
【００６０】
（第２の実施の形態）
【００６１】
図９は本発明の第２の実施の形態における塗膜転写具の外観を示す斜視図、図１０は図９の塗膜転写具の分解斜視図である。
【００６２】
第２の実施の形態の塗膜転写具Ａは、転写ユニット４を使用位置に保持するための第２の保持手段としてハートカム溝２２およびカムピン２３が設けられている点が、保持孔１８および保持突起１９が設けられている第１の実施の形態における塗膜転写具Ａと異なっている。また、それ以外の箇所は第１の実施の形態における塗膜転写具Ａと同一となっているので、第１の実施の形態と重複した箇所の説明は省略する。
【００６３】
さて、図１０において、ハートカム溝２２はケース体１（の第２のケース部１ｂ）に形成されており、ハートカム溝２２に係合するカムピン２３は転写ユニット４（のサイドプレート７ｂ）に形成された収容部２４に嵌め込まれている。
【００６４】
ここで、収容部２４は、カムピン２３の弾性変形を許容する凹部２４ａと、凹部２４ａの端部に形成されてカムピン２３を取り付けるためのカギ型をした取付溝２４ｂとを有している。
【００６５】
例えばバネ鋼線により構成されたカムピン２３は、図示するように、直線状に延在する本体部２３ａを有している。そして、ハートカム溝２２に係合する係合部２３ｂが本体部２３ａの一方端において外方に突出形成され、収容部２４の取付溝２４ｂに取り付けられる取付部２３ｃが本体部２３ａの他方端に形成されている。
【００６６】
したがって、カムピン２３の取付部２３ｃを収容部２４の取付溝２４ｂに取り付けると、本体部２３ａおよび係合部２３ｂが収容部２４に形成された凹部２４ａに位置することになるので、カムピン２３の取付部２３ｃを支点にして、本体部２３ａが弾性変形可能になる。
【００６７】
なお、カムピン２３を収容部２４に取り付けた状態において、本体部２３ａが転写ユニット４の移動方向に沿って直線状に延在するように位置決めされている。
【００６８】
カムピン２３の係合部２３ｂが係合して走行するハートカム溝２２は、転写ユニット４の移動方向に沿って直線状に延びた直線状カム部２２ａと、直線状カム部２２ａの先端から延在して当該直線状カム部２２ａに対して屈曲した第１のカム部２２−１と、第１のカム部２２−１に続いて当該第１のカム部２２−１に対して屈曲した第２のカム部２２−２と、第２のカム部２２−２に続いて当該第２のカム部２２−２に対して屈曲するとともに直線状カム部２２ａの先端に合流した第３のカム部２２−３とを備えている。また、第２のカム部２２−２には、係合部２３ｂを第２のカム部２２−２の途中位置で保持するための凹状に屈曲した保持部２２−２ａが形成されている。
【００６９】
直線状カム部２２ａはカムピン２３の本体部２３ａを弾性変形させない方向に形成されている。また、直線状カム部２２ａ、第１のカム部２２−１および第３のカム部２２−３の合流点は、直線状カム部２２ａを走行してきたカムピン２３の係合部２３ｂが第１のカム部２２−１に誘導されるように、直線状カム部２２ａの先端が第１のカム部２２−１側にオフセットされている。
【００７０】
よって、カムピン２３の係合部２３ｂがハートカム溝２２の直線状カム部２２ａに位置している状態では、転写ユニット４は引張コイルバネ１６の付勢力で収納位置に保持されている。
【００７１】
また、カムピン２３の係合部２３ｂがハートカム溝２２の第２のカム部２２−２に形成された保持部２２−２ａで保持されているとき、転写ユニット４は引張コイルバネ１６の付勢力に抗して使用位置に保持される。
【００７２】
次に、このような構成を有する第２の実施の形態における塗膜転写具Ａにおける転写ユニット４の移動について、図１１〜図１５を用いて説明する。
【００７３】
ここで、図１１は図９の塗膜転写具において転写ユニットが収納位置にある状態を示す説明図、図１２は図９の塗膜転写具の転写ユニットが収納位置のときにおける図１１の符号Ｓの部位を拡大して示す説明図、図１３は図９の塗膜転写具において転写ユニットが収納位置から使用位置へ向かって移動している途中の状態を示す説明図、図１４は図９の塗膜転写具において転写ユニットが使用位置にある状態を示す説明図、図１５は図９の塗膜転写具の転写ユニットが使用位置のときにおける図１４の符号Ｓの部位を拡大して示す説明図である。
【００７４】
図１１および図１２に示すように、また、前述のように、カムピン２３の係合部２３ｂがハートカム溝２２の直線状カム部２２ａに位置している状態では、転写ユニット４は引張コイルバネ１６の付勢力で収納位置に保持されている。
【００７５】
このように転写ユニット４が収納位置にある状態において回動操作部１４を回動させると、図１３に示すように、回動操作部１４のカバー部１４ｂが移動してケース体１の開口部２が開放されるとともに、回動操作部１４の凸部１４ａ−２がカム溝７ｂ−２内の走行を開始する。このような走行に伴い、引張コイルバネ１６の付勢力で収納位置に保持されていた転写ユニット４が案内溝１２に沿ってスライドを開始し、引張コイルバネ１６の付勢力に抗して使用位置へ向かって移動する。そして、転写ヘッド３が開口部２から徐々に突出していく。
【００７６】
このとき、カムピン２３の係合部２３ｂはハートカム溝２２の直線状カム部２２ａから第１のカム部２２−１へと誘導され、本体部２３ａが弾性変形されながら（つまり、本体部２３ａに対して、転写ユニット４の移動方向に沿って直線状になる方向（図１３において上方向）への付勢力が発生した状態で）当該第１のカム部２２−１を走行していく。
【００７７】
回動操作部１４を９０度回すことにより転写ユニット４の使用位置への移動が完了すると、図１４に示すように、塗膜転写具Ａの使用に適した程度の長さだけ転写ヘッド３が開口部２から突出する。このとき、本体部２３ａには転写ユニット４の移動方向に沿って直線状になる方向への付勢力が発生しているので、カムピン２３の係合部２３ｂは第１のカム部２２−１から第２のカム部２２−２へと誘導され、図１５に詳しく示すように、第２のカム部２２−２に形成された保持部２２−２ａで保持される。そして、このようにカムピン２３の係合部２３ｂが第２のカム部２２−２の保持部２２−２ａで保持されることにより、転写ユニット４が引張コイルバネ１６の付勢力に抗して使用位置で保持される。
【００７８】
なお、回動操作部１４をさらに所定角度だけ回動させると、カムピン２３の本体部２３ａに発生している付勢力により、係合部２３ｂが第２のカム部２２−２の保持部２２−２ａから外れて（つまり、転写ユニット４の使用位置での保持が解除されて）、第２のカム部２２−２と第３のカム部２２−３との境界部分である屈曲点へと移動する。すると、転写ユニット４は引張コイルバネ１６の付勢力によって収納位置へ向かって自動的に移動を開始し、これに伴って、カムピン２３の係合部２３ｂは第３のカム部２２−３へと誘導され、当該第３のカム部２２−３を走行し、さらに直線状カム部２２ａを走行する。
【００７９】
そして、前述した図１１に示す位置になり、転写ユニット４は、再び引張コイルバネ１６の付勢力で収納位置に保持される。
【００８０】
以上説明したように、第２の実施の形態における塗膜転写具Ａでは、回動操作部１４に凸部１４ａ−２が形成され、転写ユニット４に、回動操作部１４の回動に伴って凸部１４ａ−２が走行することで転写ユニット４が収納位置と使用位置とになるカム溝７ｂ−２が形成されている。そして、回動操作部１４を回動させて、収納位置に保持された転写ユニット４を引張コイルバネ１６の付勢力に抗して使用位置に移動させ、第２の保持手段としてのカムピン２３の係合部２３ｂをハートカム溝２２の第２のカム部２２−２に形成された保持部２２−２ａで保持させることで転写ユニット４を当該使用位置で保持して転写ヘッド３を開口部２から突出させるようにしている。
【００８１】
したがって、ノック棒で転写ヘッドを出没させる構造を採用した場合のように、ノック棒のストロークを十分に確保するために塗膜転写具の全長が長くなることはない。
【００８２】
よって、使用に適した程度の長さだけ転写ヘッド３をケース体１の開口部２から突出させつつ、塗膜転写具Ａのコンパクト化を図ることが可能になる。
【００８３】
（第３の実施の形態）
【００８４】
図１６は本発明の第３の実施の形態における塗膜転写具の外観を示す斜視図、図１７は図１６の塗膜転写具の分解斜視図である。
【００８５】
第３の実施の形態の塗膜転写具Ａは、凸部１４ａ−３が回動操作部１４に形成され、当該凸部１４ａ−３が嵌まり込んで走行するカム溝７ｂ−３が転写ユニット４に形成され、凸部１４ａ−３とカム溝７ｂ−３との位置関係で転写ユニット４が収納位置と使用位置とになる点が、前述した第１の実施の形態および第２の実施の形態における塗膜転写具Ａと異なっている。したがって、転写ユニット４を収納位置と使用位置とにするための機構以外の箇所は第１の実施の形態および第２の実施の形態における塗膜転写具Ａと同一となっているので、これらの実施の形態と重複した箇所の説明は省略する。
【００８６】
さて、図１６および図１７において、回動操作部１４には、回動突起１４ａ−４が第２のケース部１ｂに形成された回動孔１ｂ−１に嵌め込まれて回動するレバー部１４ａと、レバー部１４ａの先端に形成されてレバー部１４ａの回動動作に伴ってケース体１の開口部２を開閉するカバー部１４ｂと、カバー部１４ｂを介してレバー部１４ａと反対側に形成されてレバー部１４ａとでケース体１を挟み込む壁部１４ｃとを備えている。
【００８７】
したがって、回動操作部１４は、レバー部１４ａに形成された回動突起１４ａ−４がケース部１ｂの回動孔１ｂ−１に嵌め込まれ、レバー部１４ａと壁部１４ｃとでケース体１を挟み込むようにして、当該ケース体１に回動可能に取り付けられる。
【００８８】
回動孔１ｂ−１は第２のケース部１ｂの長手方向の中央部に形成されている。これにより、回動操作部１４は回動孔１ｂ−１に嵌め込まれた回動突起１４ａ−４を回動支点にして３６０度回動可能になっている。但し、回動操作部１４は１８０度回動可能になっていれば足り、３６０度回動可能である必要はない。
【００８９】
さらに、回動操作部１４のレバー部１４ａには、回動支点である回動突起１４ａ−４をはさんでカバー部１４ｂと反対側に凸部１４ａ−３が形成されている。
【００９０】
また、転写ユニット４（のサイドプレート７ｂ）には、この凸部１４ａ−３が回動操作部１４の回動に伴って走行するカム溝７ｂ−３が転写ユニット４の移動方向と交差する方向（第３の実施の形態では、移動方向と直交した方向）に形成されている。これにより、回動操作部１４の回動に伴って凸部１４ａ−３がカム溝７ｂ−３内を走行することで回動操作部１４と転写ユニット４とが連動し、回動操作部１４が１８０度回動することで転写ユニット４が収納位置と使用位置とになる。
【００９１】
カム溝７ｂ−３には、当該カム溝７ｂ−３を走行する凸部１４ａ−３を保持するための凹状に屈曲した保持部７ｂ−３ａが形成されている。この保持部７ｂ−３ａは、転写ユニット４が収納位置と使用位置とになったときに回動操作部１４の凸部１４ａ−３が嵌まり込む位置に形成されている。
【００９２】
なお、後述するように、転写ユニット４が収納位置になったときと使用位置とになったときのカム溝７ｂ−３に対する凸部１４ａ−３の位置は一致しているので、凸部１４ａ−３が嵌まり込む保持部７ｂ−３ａは、カム溝７ｂ−３の一箇所だけに形成されている。
【００９３】
そして、第３の実施の形態では、保持部７ｂ−３ａ、およびこの保持部７ｂ−３ａに保持された収容位置での凸部１４ａ−３で第１の保持手段が構成されており、保持部７ｂ−３ａ、およびこの保持部７ｂ−３ａに保持された使用位置での凸部１４ａ−３で第２の保持手段が構成されている。
【００９４】
次に、このような構成を有する第３の実施の形態における塗膜転写具Ａにおける転写ユニット４の移動について、図１８〜図２０を用いて説明する。
【００９５】
ここで、図１８は図１６の塗膜転写具において転写ユニットが収納位置にある状態を示す説明図、図１９は図１６の塗膜転写具において転写ユニットが収納位置から使用位置へ向かって移動している途中の状態を示す説明図、図２０は図１６の塗膜転写具において転写ユニットが使用位置にある状態を示す説明図である。
【００９６】
図１８に示すように、回動操作部１４のカバー部１４ｂがケース体１の開口部を閉鎖している状態において、回動操作部１４に形成された凸部１４ａ−３はカム溝７ｂ−３の保持部７ｂ−３ａに保持されており（第１の保持手段）、転写ユニット４は収納位置に保持されている。
【００９７】
このように転写ユニット４が収納位置にある状態において回動操作部１４を回動させると、図１９に示すように、回動操作部１４のカバー部１４ｂが移動してケース体１の開口部２が開放されるとともに、回動操作部１４の凸部１４ａ−３が保持部７ｂ−３ａから離脱してカム溝７ｂ−３内の走行を開始する。このような走行に伴い、収納位置に保持されていた転写ユニット４が案内溝１２に沿ってスライドを開始して使用位置へ向かって移動する。そして、転写ヘッド３が開口部２から徐々に突出していく。
【００９８】
なお、図１９に示す回動操作部１４を９０度回動させた位置が、凸部１４ａ−３が保持部７ｂ−３ａから最も離れた位置であり、さらに回動させると、凸部１４ａ−３は保持部７ｂ−３ａに接近していく。
【００９９】
そして、回動操作部１４を図１８に示す位置から１８０度回動させると、図２０に示すように、回動操作部１４に形成された凸部１４ａ−３が再びカム溝７ｂ−３に形成された保持部７ｂ−３ａに保持されて（第２の保持手段）、転写ユニット４の使用位置への移動が完了し、塗膜転写具Ａの使用に適した程度の長さだけ転写ヘッド３が開口部２から突出する。
【０１００】
なお、転写ユニット４を使用位置から収納位置に戻すには、回動操作部１４をさらに１８０度回動させるか、逆方向に１８０度回動させて、図１８に示す位置にすればよい。
【０１０１】
このように、第３の実施の形態では、回動操作部１４は３６０度回動可能になっているので、図１８〜図２０にて示す時計回り、あるいはこれとは反対の反時計回りの何れに回動させても、転写ユニット４を使用位置と収納位置とに移動させることができる。
【０１０２】
但し、前述のように回動操作部１４は１８０度回動可能になっていてもよく、この場合には、転写ユニット４を使用位置から収納位置に戻すには、回動操作部１４を収納位置から使用位置にするために回動させた方向と逆方向に１８０度回動させればよい。
【０１０３】
なお、回動操作部１４が１８０度回動可能になっている場合には、回動操作部１４の凸部１４ａ−３は保持部７ｂ−３ａと当該保持部７ｂ−３ａから見て片方側のカム溝７ｂ−３とを走行することになるので、もう片方側のカム溝７ｂ−３は形成されていなくてもよい。
【０１０４】
以上説明したように、第３の実施の形態における塗膜転写具Ａでは、回動操作部１４に凸部１４ａ−３が形成され、転写ユニット４には、この凸部１４ａ−３が回動操作部１４の回動に伴って走行するカム溝７ｂ−３が形成され、回動操作部１４が１８０度回動することで凸部１４ａ−３がカム溝７ｂ−３の保持部７ｂ−３ａに保持されて、転写ユニット４が収納位置と使用位置とになる。
【０１０５】
したがって、第１の実施の形態および第２の実施の形態における塗膜転写具Ａと同じく、ノック棒で転写ヘッドを出没させる構造を採用した場合のように、ノック棒のストロークを十分に確保するために塗膜転写具の全長が長くなることはない。
【０１０６】
よって、使用に適した程度の長さだけ転写ヘッド３をケース体１の開口部２から突出させつつ、塗膜転写具Ａのコンパクト化を図ることが可能になる。
【０１０７】
以上本発明者によってなされた発明を実施の形態に基づき具体的に説明したが、本明細書で開示された実施の形態はすべての点で例示であって、開示された技術に限定されるものではない。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【０１０８】
たとえば、第２の実施の形態では、ハートカム溝２２がケース体１に形成されており、ハートカム溝２２に係合するカムピン２３が転写ユニット４に設けられているが、これとは逆に、ハートカム溝２２が転写ユニット４に設けられ、ハートカム溝２２に係合するカムピン２３がケース体１に形成されていてもよい。
【産業上の利用可能性】
【０１０９】
本発明の塗膜転写具は、粘着テープ、修正テープ、蛍光テープなど様々な転写テープを装着して使用することが可能であり、特定の転写テープに限定されるものではない。
【符号の説明】
【０１１０】
１  ケース体
１ａ  第１のケース部
１ｂ  第２のケース部
１ｂ−１  回動孔
２  開口部
３  転写ヘッド
４  転写ユニット
５  供給リール
６  巻取リール
７ａ，７ｂ  サイドプレート
７ｂ−２，７ｂ−３  カム溝
７ｂ−３ａ  保持部
１２  案内溝
１４  回動操作部
１４ａ  レバー部
１４ａ−１  回動孔
１４ａ−２，１４ａ−３  凸部
１４ａ−４  回動突起
１４ｂ  カバー部
１４ｃ  壁部
１５  回動突起
１６  引張コイルバネ
１７  引掛突起
１８  保持孔
１９  保持突起
２０  長孔
２１  保持解除突起
２２  ハートカム溝
２２ａ  直線状カム部
２２−１  第１のカム部
２２−２  第２のカム部
２２−２ａ  保持部
２２−３  第３のカム部
２３  カムピン
２３ａ  本体部
２３ｂ  係合部
２３ｃ  取付部
２４  収容部
２４ａ  凹部
２４ｂ  取付溝
Ａ  塗膜転写具
Ｔ  転写テープ
【図１】
0006655974.tif 000002
【図２】
0006655974.tif 000003
【図３】
0006655974.tif 000004
【図４】
0006655974.tif 000005
【図５】
0006655974.tif 000006
【図６】
0006655974.tif 000007
【図７】
0006655974.tif 000008
【図８】
0006655974.tif 000009
【図９】
0006655974.tif 000010
【図１０】
0006655974.tif 000011
【図１１】
0006655974.tif 000012
【図１２】
0006655974.tif 000013
【図１３】
0006655974.tif 000014
【図１４】
0006655974.tif 000015
【図１５】
0006655974.tif 000016
【図１６】
0006655974.tif 000017
【図１７】
0006655974.tif 000018
【図１８】
0006655974.tif 000019
【図１９】
0006655974.tif 000020
【図２０】
0006655974.tif 000021